(57)【要約】【課題】原稿を読み取る倍率に応じて、画質が悪くなることがある。【解決手段】第１速度制御部１２２は、読み取り処理に必要な時間を短くすることを優先するように移動部１１０を制御する。第２速度制御部１２４は、読み取り処理に必要な時間が長くなっても画質を優先するように移動部１１０を制御する。切替指示部１２６は、ユーザからの指示に応じて、第１速度制御部１２２または第２速度制御部１２４に移動部１１０の制御を指示する。これにより、ユーザは、読み取り速度を優先する速度優先モードと、読み取り処理の時間が長くなっても画質を優先する画質優先モードのいずれかを選択して、読み取り処理を実行させることができる。【選択図】図３
2005124141.tif 000002
【特許請求の範囲】
【請求項１】
所定の間隔で主走査方向に対して平行に設けられた複数のラインセンサと、
所定の周期で前記ラインセンサの出力値を受け付けて蓄積する手段と、
原稿と前記ラインセンサのサンプリング位置とを相対的に移動させる移動手段と、
それぞれのラインセンサから受け付けた出力値に基づいて、前記原稿を読み取る倍率に応じた画像データを生成する手段と、
前記ラインセンサのサンプリング位置が前記原稿に対して所定の距離移動する間に、複数のタイミングで前記出力値を取得できるように前記移動手段における前記原稿と前記ラインセンサのサンプリング位置との相対的な移動速度を制御する第１モード、および前記ラインセンサのサンプリング位置が前記原稿に対して所定の距離移動する間に、ひとつの出力値を取得できるように前記移動速度を制御する第２モードのいずれか一方で前記移動手段を制御する制御手段と、
前記第１モードまたは前記第２モードの指定をユーザから受け付け、ユーザに指定された前記第１モードまたは前記第２モードで前記制御手段を動作させる手段と、
を備えることを特徴とする画像処理装置。
【請求項２】
前記倍率を設定する設定手段を更に備え、
前記設定手段により等倍率が設定された場合、前記制御手段は、初期状態を予め前記第２モードに切り替え、前記設定手段により変倍率が設定された場合、前記制御手段は初期状態を予め前記第１モードに切り替えることを特徴とする請求項１に記載の画像処理装置。
【請求項３】
前記制御手段における初期状態を予め前記第１モードまたは前記第２モードに設定する手段を更に備えることを特徴とする請求項１に記載の画像処理装置。
【発明の詳細な説明】
【技術分野】
【０００１】
この発明は原稿を読み取り、画像データを生成する技術に関する。
【背景技術】
【０００２】
スキャナ装置は単体で利用されたり、コピー装置などに搭載されたりして、例えば紙に印刷された原稿をデジタルデータに変換するために利用されている。近年、原稿をカラーで読み取ることができるカラースキャナ装置が普及している。そうしたカラースキャナ装置は、例えば赤成分（Ｒ）、緑成分（Ｇ）、青成分（Ｂ）をそれぞれ個別に読み取るためのラインセンサを有し、それらのラインセンサから得た電圧値に基づいて画像データを生成する。ＲＧＢそれぞれのラインセンサは、主走査方向に対して平行に所定の間隔（以下、単に「ラインギャップ」という）をおいて配置されている。そのため、所定のタイミングでは各ラインセンサは、原稿上のそれぞれ異なるラインを読み取っている。そこで、各ラインセンサから取得した画素データを蓄積するライン補正メモリを設け、先行するラインセンサの画素データを遅延してライン補正メモリから読み込み、合成することにより同一ラインにおけるＲＧＢ形式の画素データを生成する。そして、ライン毎の生成したＲＧＢ形式の画素データを組み合わせることで、原稿の画像データが生成される。
【０００３】
原稿を読み取る際の倍率は、ラインセンサのサンプリング周期が一定の場合、原稿に対するラインセンサのサンプリング位置の相対的な移動速度により決まる。例えば原稿を拡大する場合には移動速度を遅くし、原稿を縮小する場合には移動速度を速くする。したがって、移動速度によってはそれぞれのラインセンサが原稿上の同一のラインを読み取れないことがある。このときに各ラインセンサから取得した画素データを合成すると、画質が悪くなってしまう。こうした変倍時に生じる読み取りラインのずれを補正する技術として、各ラインセンサにおけるサンプリング周期を変更するものがある（例えば、特許文献１参照）。
【特許文献１】特開２００３−６０８４６号公報
【発明の開示】
【発明が解決しようとする課題】
【０００４】
特許文献１は、倍率に応じて各ラインセンサのサンプリングタイミングを制御することにより任意の倍率でも同一ラインの読み取りを可能にする。しかしながら、ラインセンサ毎にサンプリングタイミングを制御するためのハードウエアは高価になってしまう。
【０００５】
本発明はこうした点に鑑みてなされたもので、その目的は、変倍率に応じて生じる画質の低下を抑え、状況に応じて効率的な読取処理を可能とする画像処理技術の提供にある。
【課題を解決するための手段】
【０００６】
本発明のある態様は、画像処理装置である。この装置は、所定の間隔で主走査方向に対して平行に設けられた複数のラインセンサと、所定の周期で前記ラインセンサの出力値を受け付けて蓄積する手段と、原稿とラインセンサのサンプリング位置とを相対的に移動させる移動手段と、それぞれのラインセンサから受け付けた出力値に基づいて、原稿を読み取る倍率に応じた画像データを生成する手段と、ラインセンサのサンプリング位置が原稿に対して所定の距離移動する間に、複数のタイミングで出力値を取得できるように移動手段における原稿とラインセンサのサンプリング位置との相対的な移動速度を制御する第１モード、およびラインセンサのサンプリング位置が原稿に対して所定の距離移動する間に、ひとつの出力値を取得できるように移動速度を制御する第２モードのいずれか一方で移動手段を制御する制御手段と、第１モードまたは第２モードの指定をユーザから受け付け、ユーザに指定された第１モードまたは第２モードで制御手段を動作させる手段とを備える。これにより、第１モードと第２モードとをユーザの意志により切り替えることができる。ここで、第１モードは、原稿上の所定の間隔をラインセンサのサンプリング位置が移動する間に複数の画像データを読み取るため、第２モードに比べて移動速度を遅くする必要がある。このため、第１モードの方が第２モードより処理に時間がかかるが、第２モードより高画質で原稿を読み取ることができる。
【０００７】
この装置は、倍率を設定する設定手段を更に備え、設定手段により等倍率が設定された場合、制御手段は、初期状態を予め第２モードに切り替え、設定手段により変倍率が設定された場合、制御手段は初期状態を予め第１モードに切り替えてよい。これにより、設定された倍率により各ラインセンサが原稿上の同一ラインを読み取れない場合、すなわち各ラインセンサが読み取ったラインにずれが生じる場合に、第２モードがデフォルトとして自動的に切り替えられる。つまり、画質を優先するようにデフォルトのモードが切り替えられる。
【０００８】
この装置は、制御手段における初期状態を予め第１モードまたは第２モードに設定する手段を更に備えてもよい。これにより、ユーザの方針、つまり画質を優先するか、速度を優先するかに応じて、予めそのいずれかを設定することができる。
【０００９】
なお、以上の構成要素の任意の組合せ、本発明の表現を方法、装置、システムなどの間で変換したものもまた、本発明の態様として有効である。
【発明の効果】
【００１０】
本発明によれば、原稿読み取り時の方針をユーザが任意に選択できるので、利便性の高い画像処理装置を提供できる。
【発明を実施するための最良の形態】
【００１１】
図１（ａ）は、原稿を等倍率（１００％）で読み取る時の各ラインセンサの位置（ラインセンサのサンプリング位置）とサンプリングタイミングの関係を示す図である。本図で、横軸は時間を示し、縦軸はラインセンサのサンプリング位置と原稿との相対位置を示す。ＬＲ、ＬＧ、およびＬＢは、それぞれ赤色成分用、緑色成分用、ならびに青色成分用のラインセンサのサンプリング位置の時間経過にともなう位置を示す。それぞれのラインセンサは、周期Ｔで供給されるクロックに基づいてサンプリングを行う。具体的には、周期Ｔの間、蓄光を行い、積分値を出力する。
【００１２】
一般に、ラインギャップをＬ、等倍率のときの移動速度をＶ０とすると、周期Ｔの間にラインセンサのサンプリング位置が移動する距離はＶ０Ｔとなる。このとき、Ｖ０Ｔは、ラインセンサの主走査方向に並ぶ光電素子の間隔Ｐと一致する。つまり、等倍率のときに各ラインセンサは１辺の長さが光電素子の間隔Ｐの正方領域を読み取ることができる。そして、各ラインセンサは、ラインギャップＬが光電素子の間隔Ｐの自然数倍になるように配置されている。この自然数をｍ０とすると、
Ｌ＝ｍ０Ｐ＝ｍ０Ｖ０Ｔ
が成り立つ。
【００１３】
本図では、各ラインセンサのラインギャップＬは、１ラインになっている。つまり、Ｌ＝Ｖ０Ｔとなっており、原稿を等倍率で読み取る場合、各ラインセンサは、周期Ｔである時間ＳＨの間に１ライン分進む速度で移動する。これにより、各ラインセンサは、原稿上の同一のラインを読み取ることができる。本図では、赤色成分用ラインセンサが読み取ったラインを、ＳＨ時間後に緑色成分用ラインセンサが読み取り、２・ＳＨ時間後に青色成分用のラインセンサが読み取る。したがって、青成分用のラインセンサからの出力値と、２周期前の赤成分用ラインセンサからの出力値と、１周期前の緑成分用ラインセンサからの出力値とを合成することで同一ラインのＲＧＢ形式の画素データを得ることができる。つまり、ラインギャップに応じて、少なくとも２つのラインセンサからの出力値を一時的に蓄積し、遅延して合成することで同一ラインのＲＧＢ形式の画素データを得ることができる。こうした補正処理を以下、単に「遅延処理」という。また、各ラインセンサがサンプリングを行った原稿上の位置を「サンプリング位置」という。
【００１４】
図１（ｂ）は、原稿を１２５％に拡大して読み取る時の各ラインセンサのサンプリング位置とサンプリングタイミングの関係を示す図である。ＬＲ、ＬＧ、およびＬＢは、原稿上の所定の範囲を図１（ａ）におけるサンプリング回数の１．２５倍のサンプリングを行うときの各ラインセンササンプリング位置とサンプリングタイミングの関係を示す。つまり、各ラインセンサのサンプリング位置の移動速度を図１（ａ）の移動速度より遅くすることにより、原稿上の所定の範囲において１．２５倍多くサンプリングを行う。このとき、赤色成分用ラインセンサのサンプリング位置ＰＲに対応する緑色成分および青色成分のサンプリング位置は、それぞれサンプリング位置ＰＧならびにサンプリング位置ＰＢになり、それぞれ異なる位置になってしまう。このような読み取り処理を、以下「速度優先モード」という。
【００１５】
このようにサンプリング位置が異なる場合に、各ラインセンサのサンプリング位置を一致させるためには、サンプリングタイミングをラインセンサ毎に制御することが考えられるが、ラインセンサ毎にクロックを供給するための回路が必要になりコストが高くなってしまう。また、ラインセンサは、感度、原稿に投射する光量に応じてサンプリングに必要な蓄光時間が決まる。そのため、ラインセンサのスペック上の蓄光時間がサンプリング周期の最小値になるという制限がある。
【００１６】
そこで、本実施の形態では、各ラインセンサの移動速度を遅くすることで、通常１回のサンプリングで済む原稿の範囲を、複数回サンプリングし、複数のサンプリング位置の中から、近いものを選択して合成する。つまり、速度優先モードにおける、倍率に対応する移動速度をＶ、サンプリング数をＳとした場合、
ＶＴ／Ｓ  （Ｓ＝１、２、３・・・）
のライン幅で読み取るように速度を調整する。つまり、Ｖ／Ｓの速度でラインセンサのサンプリング位置を移動する。
【００１７】
例えば、通常１回のサンプリングで読み取るライン幅を３回のサンプリングで読み取る場合、３倍の時間をかけてラインセンサのサンプリング位置が移動する。ＬＲ'、ＬＧ'、およびＬＢ'は、３倍の時間をかけて移動する場合の各ラインセンササンプリング位置とサンプリングタイミングの関係を示す。例えば、ＬＲとＬＲ'とを比較すると、前者が時間ｔ０からｔ１の間に１ライン分を移動するのに対し、後者は同じ距離を時間ｔ０からｔ３まで３倍の時間をかけて移動する。この間に、３回サンプリングを行う。つまり、ＬＲにおける１ラインの幅を、３つのラインに分割して読み取る。
【００１８】
例えば、位置「０」における画素データを合成する場合、赤色成分として「ＰＲ」が選択され、緑色成分は「ＰＧ１、ＰＧ２、ＰＧ３」の中から位置「０」に近い「ＰＧ２」が選択され、青色成分は「ＰＢ１、ＰＢ２、ＰＢ３」の中から「ＰＢ２またはＰＢ３」が選択される。具体的に示すと、等倍率のときの速度を１とすると、倍率１２５％のときの速度は４／５になる。よって、ＬＢ'の位置ｙは、時間ｔを使って、
ｙ＝ｔ・４／１５−２    （式ａ）
となる。
ＰＢ１は、式ａより、ｙ＝６・４／１５−２＝−６／１５となる。同様にＰＢ２およびＰＢ３は、それぞれｙ＝−２／１５ならびにｙ＝２／１５となる。よって、ＰＢ２またはＰＢ３が選択される。このように、理論的に算出した距離に基づいて、３つの値のいずれかを選択してもよい。また、倍率に応じて紙送りのためのモータを駆動しても、モータからローラまでのギヤの遊びや、ローラと紙との密着度など種々の機構的な要因により、モータの回転と紙を送るローラの回転とは完全に連動せず、動作のタイミングや紙の送り量は理論値と若干のずれを生じる。こうしたずれ量は理論的に算出することは難しいため、経験則的にずれが少なくなる値を選択してもよい。
【００１９】
これにより、１回の読み取り処理に必要な時間は長くなるが、画質のよい画像を得ることができる。このような読み取り処理を、以下「画質優先モード」という。つまり画質優先モードは、速度優先モードにおいて、１回のサンプリングで読み取るライン幅を、複数回のサンプリングで読み取ることで高画質を実現するモードである。
【００２０】
図２は、図１を用いて説明した速度優先モードと画質優先モードとを概念的に示す図である。速度優先モードは、所定の距離を１周期の間に一定速度で移動し、ひとつの読取データを各ラインセンサから取得する。それに対し、画質優先モードは、速度優先モードにおいて１周期の間に移動する距離を３周期の間に一定速度で移動し、３つの読取データを各ラインセンサから取得する。そして、画質優先モードでは、３つの読取データの中から、各ラインセンサの読取データのサンプリング位置に互いに近いサンプリング位置における読取データがひとつ選択される。これにより、サンプリング位置の違いにより画質が悪くなることを抑えることができる。こうした補正を、以下「ずれ処理」という。本実施の形態では、変倍率で原稿を読み取る場合に、前述した速度優先モードと画質優先モードとをユーザの指示に応じて任意に切り替えることができる。以下、速度優先モードと画質優先モードとを総称して「読取モード」という。
【００２１】
図３は、実施の形態に係る画像処理装置１００の内部構成図である。読取部１０２は、原稿７０に含まれる赤色成分を読み取る第１ラインセンサ１０４Ｒと、緑色成分を読み取る第２ラインセンサ１０４Ｇと、青成分を読み取る第３ラインセンサ１０４Ｂとを有する。第１ラインセンサ１０４Ｒ、第２ラインセンサ１０４Ｇおよび第３ラインセンサ１０４Ｂ（以下、単に「ラインセンサ１０４」という）は、それぞれ主走査方向に平行に設けられている。それぞれのラインセンサ１０４は、等間隔に設けられてもよいし、任意の間隔で配置されていてもよい。本実施の形態では、ラインセンサ１０４が等間隔に設けられている場合を例に説明する。
【００２２】
移動部１１０は、読取部１０２による読み取り位置、すなわち、ラインセンサのサンプリング位置と原稿７０とを相対的に移動するためのユニットであり、速度制御部１２０からの指示に応じて原稿７０に対するラインセンサのサンプリング位置の相対的な移動速度を調整する。移動部１１０の具体的構成としては種々のものを採用することができ、例えば、固定された原稿７０に対して読取部１０２を移動してもよいし、固定された読取部１０２に対して原稿７０を移動してもよい。また、ラインセンサ自体は移動させず、光源およびミラーからなる光学系を動かすことによりラインセンサのサンプリング位置を原稿７０に対して相対的に移動させる構成とすることもできる。具体的には、移動部１１０を、
(i)光源および第１ミラーを搭載した第１キャリッジ、
(ii)第２ミラー、第３ミラーを搭載した第２キャリッジ、および、
(iii)これらを副走査方向に駆動する駆動部
を含むユニットとし、ラインセンサ自体は静止させたまま、第１キャリッジおよび第２キャリッジを副走査方向に駆動し、これにより、ラインセンサのサンプリング位置を原稿７０に対して相対的に移動させる構成とすることができる。
【００２３】
取得部１１４は、クロック供給部１１２から供給されたクロックに基づいて、第１ラインセンサ１０４Ｒ、第２ラインセンサ１０４Ｇおよび第３ラインセンサ１０４Ｂから電圧値を取得する。取得部１１４は、各ラインセンサ１０４から取得した電圧値を、デジタル値に変換して、ライン毎に画素データとして記憶部１３０に一時的に蓄積する。つまり取得部１１４は、色成分毎の画素データ（以下、単に「単色画素データ」という）を読み取った原稿のライン毎に所定のライン数分蓄積する。
【００２４】
操作部１０６は、例えばタッチパネル、ボタン、表示パネルなどによりユーザインターフェースを実現し、各種の指示をユーザから受け付ける。操作部１０６は、読取モードとして速度優先モードまたは画質優先モードを受け付けるほか、例えば倍率、解像度、カラー／モノクロの指定などをユーザから受け付ける。そして、操作部１０６は、それらの指示を速度制御部１２０に出力する。速度制御部１２０はそれらの指示に応じて移動部１１０の移動速度を制御する。
【００２５】
速度制御部１２０は、第１速度制御部１２２、第２速度制御部１２４、切替指示部１２６、およびスキャン条件設定部１２８を有する。第１速度制御部１２２は原稿の読み取り速度を優先する速度優先モードで移動部１１０を制御するためのユニットであり、第２速度制御部１２４は画質を優先する画質優先モードで移動部１１０を制御するためのユニットである。切替指示部１２６は、操作部１０６を介してユーザから受け付けた指示に応じて、第１速度制御部１２２または第２速度制御部１２４に制御を切り替える。例えば速度優先モードが指示された場合、切替指示部１２６は第１速度制御部１２２に制御を指示し、画質優先モードが指示された場合、切替指示部１２６は第２速度制御部１２４に制御を指示する。これにより、ユーザの意志に応じて、速度優先モードと画質優先モードとを切り替えることができるので、ユーザは利用目的に応じて適切な読取モードを選択できる。
【００２６】
また、切替指示部１２６は、例えば前回の読取処理で利用した読取モードをデフォルトモードとして保持し、ユーザから変更の指示が無ければそのデフォルトモードで速度制御するように第１速度制御部１２２または第２速度制御部１２４に制御を指示してもよい。また、切替指示部１２６は、予め優先モードとして、速度優先モードまたは画質優先モードをユーザから操作部１０６を介して受け付けておき、ユーザから変更の指示が無ければその優先モードで速度制御するように第１速度制御部１２２または第２速度制御部１２４に制御を指示してもよい。これにより、ユーザは読取モードの指定を毎回行わなくてよいので画像処理装置１００の操作性を向上できる。
【００２７】
スキャン条件設定部１２８は、倍率、解像度、カラー／モノクロなどの読み取り時の各種の条件と読取モードとを対応付けて保持する。そして、切替指示部１２６は、ユーザが指定した読取指示に応じて、スキャン条件設定部１２８を参照して、デフォルトモードを速度優先モードまたは画質優先モードに切り替えてよい。例えば、スキャン条件設定部１２８に、読取条件として解像度と読取モードとが対応付けられている場合、切替指示部１２６は、ユーザに指定された解像度に応じてデフォルトモードを切り替えることができる。つまり、切替指示部１２６は、ユーザの指定した読取指示に応じて、速度優先モードおよび画質優先モードのいずれか一方をデフォルトモードに切り替える。そして、ユーザから他方に切り替えることが指定された場合に、指定された他方の読取モードに切り替える。
【００２８】
例えば、読取条件として、解像度「３００ｄｐｉ」が指定されたとき、速度優先モードを利用することと、解像度「６００ｄｐｉ」が指定されたとき、画質優先モードを利用することをスキャン条件設定部１２８が保持しているとする。読取指示としてユーザから解像度「３００ｄｐｉ」が指定されると、切替指示部１２６は、スキャン条件設定部１２８を参照して、速度優先モードをデフォルトモードに切り替える。つまり、低解像度の場合には、切替指示部１２６は、読み取り速度を優先するように第１速度制御部１２２に動作を指示し、高解像度の場合には、切替指示部１２６は、画質を優先するように第２速度制御部１２４に動作を指示する。これにより、ユーザが指定した解像度に応じて、ユーザが指示するであろう読取モードを予めデフォルトモードとすることができるので、画像処理装置１００の操作性を向上できる。また、解像度が低いほど、ラインセンサの移動速度が速くなるため、ずれ量が増す。そこで、低い解像度が指定された場合に画質優先モードをデフォルトモードにし、高い解像度が指定された場合に速度優先モードをデフォルトモードとしてもよい。また、他の例では読取モードと解像度とを対応付けて読取条件として保持し、ユーザに指定された読取モードに応じて、解像度を設定してもよい。
【００２９】
また、スキャン条件設定部１２８は、倍率と変倍率か否かを指定する情報とを対応付けて保持してもよい。そして、切替指示部１２６は、ユーザに指定された倍率が変倍率の場合に、画質優先モードをデフォルトモードに切り替えてもよい。これにより、ユーザが指定した原稿読み取り時の倍率に応じて、ユーザが指示するであろう読取モードを予めデフォルトモードとすることができるので、画像処理装置１００の操作性を向上できる。
【００３０】
また、スキャン条件設定部１２８は、ユーザにカラー印刷が指定された場合に、画質優先モードをデフォルトモードにし、モノクロ印刷が指定された場合に、速度優先モードをデフォルトモードにすることを保持してもよい。そして、切替指示部１２６は、ユーザからのカラー印刷指示またはモノクロ印刷指示に応じて、画質優先モードもしくは速度優先モードをデフォルトモードに切り替えてもよい。
【００３１】
また、ユーザからカラー印刷および変倍率を指定された場合に、画質優先モードをデフォルトモードに切り替えてもよい。このように読取条件を予め設定し、ユーザの読取指示に応じて自動的にデフォルトモードを切り替えることで、操作性が向上する。
【００３２】
第１速度制御部１２２は、速度優先モードで読み取りを行うように移動部１１０の移動速度を制御する。つまり、第１速度制御部１２２は、ラインセンサのサンプリング位置と原稿との相対移動距離が、ひとつのサンプリング周期の間に１ラインになるように移動部１１０を制御する。
【００３３】
第２速度制御部１２４は、画質優先モードで読み取りを行うように移動部１１０の移動速度を制御する。つまり、第２速度制御部１２４は、ラインセンサのサンプリング位置と原稿との相対移動距離が、複数のサンプリング周期の間に１ラインになるように移動部１１０を制御する。速度を遅くすることにより、サンプリング位置は増え画質も向上するが、読取処理に必要な時間は長くなる。そこで、本実施の形態における画像処理装置１００は、ユーザの目的に応じて、第１速度制御部１２２および第２速度制御部１２４のどちらかを選択できるように構成されている。
【００３４】
選択部１１６は、画像データを形成するために、同一ラインにおける各色成分の単色画素データを記憶部１３０から読み込み、生成部１１８に出力する。第１速度制御部１２２により移動部１１０を制御している場合、選択部１１６は遅延処理に基づいて単色画素データを選択する。また、第２速度制御部１２４により移動部１１０を制御している場合、選択部１１６は遅延処理とずれ処理とに基づいて単色画素データを選択する。
【００３５】
生成部１１８は、選択部１１６から供給された同一ラインにおける単色画素データを合成して、ＲＧＢ形式のＲＧＢ画素データを生成する。そして、選択部１１６から供給された全てのライン分のＲＧＢ画素データを順次組み合わせることにより画像データを生成する。
【００３６】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【図面の簡単な説明】
【００３７】
【図１】（ａ）は、原稿を等倍率で読み取る時の各ラインセンサのサンプリング位置とサンプリングタイミングの関係を示す図であり、（ｂ）は、原稿を１２５％に拡大して読み取る時の各ラインセンサのサンプリング位置とサンプリングタイミングの関係を示す図である。
【図２】図１を用いて説明した速度優先モードと画質優先モードとを概念的に示す図である。
【図３】実施の形態に係る画像処理装置の内部構成図である。
【符号の説明】
【００３８】
７０  原稿、１００  画像処理装置、１０２  読取部、１０４  ラインセンサ、１０６  操作部、１１０  移動部、１１２  クロック供給部、１１４  取得部、１１６  選択部、１１８  生成部、１２０  速度制御部、１２２  第１速度制御部、１２４  第２速度制御部、１２６  切替指示部、１２８  スキャン条件設定部、１３０  記憶部。
【図１】
2005124141.tif 000003
【図２】
2005124141.tif 000004
【図３】
2005124141.tif 000005